(57)【特許請求の範囲】
【請求項１】
ディスクの出し入れを案内するディスクホルダを備えたディスクドライブにおいて、前記ディスクホルダは、前記ディスクの端部を案内する上下に対向した上辺および下辺を両側端部に備え、
前記上辺の長さは前記ディスクの長さに対応して設定され、
前記下辺は前記ディスクの長さより短く設定され、
前記ディスクの挿入方向手前の開口の高さ寸法を前記ディスクの挿入方向後方の開口の高さ寸法より狭く、前記ディスクの厚み寸法より僅かに大きい寸法とするディスク水平化構造を備え、
前記ディスク水平化構造は、前記下辺を傾斜させたものであることを特徴とするディスクドライブ。
【発明の詳細な説明】
【０００１】
【発明の属する技術分野】
本発明は、記録媒体としてのディスクを回転駆動して情報処理するディスクドライブに関し、特に出し入れされるディスクを案内するディスクホルダの改良に関する。
【０００２】
【従来の技術】
ディスクドライブの、ディスク出し入れ機構として、図５及び図６に示す構造のものがある。これらの図において、１０はメインフレーム、２０はイジェクトプレート、３０はディスクホルダである。
【０００３】
メインフレーム１０は、板状を呈する主板部１１と、主板部１１の両側端から直角下向きに僅かに延びる側板部１２および１３と、主板部１１の後端から直角上向きに僅かに延びる背板部１４と、主板部１１を切り起こしてなり、後述のイジェクトプレートを支持する肩部１５ａおよび１６ａをそれぞれ持つ２つの支持片１６と、主板部１１の左端後方にて後述するディスクホルダの摺動範囲内に対応する個所を切り起こしてなる舌辺７と、主板部１１の右端後方にて後述するディスクホルダの摺動範囲に対応する位置を切り起こしてなる舌片１８とを一体に有している。
【０００４】
２つの支持片１５及び２つの支持片１６の各肩部１５ａ、１６ａは、主板部１１表面から同じ高さを呈している。また、舌片１７、１８は、支持片１５、１６の肩部１５ａ，１６ａよりも僅かに低い高さを呈している。
【０００５】
イジェクトプレート２０は、略Ｕ字形の板状を呈する主板部２１と、主板部２１の両側端から直角上向きに延びる側板部２２及び２３と、主板部２１の前端から前方に延びるボタン取付部２４と、メインフレーム１０の２つの支持片１５および２つの支持片１６に対応する位置に形成された２つの切り欠き２５および２つの孔２６と、側板部２２及び２３それぞれに各々２つずつ形成された案内溝部２７とを有している。
【０００６】
イジェクトプレート２０は、その切り欠き２５及び孔２６にメインフレーム１０の支持片２５及び２６を挿通させるようにして取り付けられ、その主板部２１が支持片１５および１６の各肩部１５ａおよび１６ａによって、メインフレーム１０に対して平行に支持される。
【０００７】
ディスクホルダ３０は、主板部３１と、主板部３１の両側端から直角下向きに延び、更にその先端が内方に延びることでディスクを把持可能な側板部３２および３３と、側板部３２及び３３にてイジェクトプレート２０の案内溝部２７に対応する位置に外方へ突出する４つの軸３４とを有している。
【０００８】
このディスクホルダ３０は、メインフレーム１０に取り付けられているイジェクトプレート２０に対して、その軸３４を案内溝部２７に挿通させるようにして取り付けられる。
【０００９】
【発明が解決しようとする課題】
上述した機構において、本発明に関係するディスクホルダ３０の側端部形状は、ディスクの挿入方向に直交する断面が、図５に示すように、断面コの字形をしている。これに対し、ディスクの挿入方向の断面は、図３に示すように、対向する平行な２辺４１、４２で構成される。上辺４１はディスクホルダ３０の本体であり、下辺４２は側壁３２および３３の先端を更に内側へ直角に折り曲げたものである。
【００１０】
辺４１、４２のなす間隔はいずれもＡ１で、この寸法は挿入するディスクの厚みより僅かに大きい。また辺４１、４２の長さＬ１は挿入するディスクの長さに一致させているのが一般的である。
【００１１】
ところが、実際には、装置を小型化したり、軽量化する関係で、図４のように、下辺４２の長さをＬ１より短く設定することがある。この場合、ディスク５０は自重によって傾き、このディスクホルダによってディスク５０を平行に保持できない欠点が生ずる。
【００１２】
本発明は、この様なディスクの傾きを防止できる構造的改良を加えたディスクドライブを提供することを目的としている。
【００１３】
【課題を解決するための手段】
本発明の上記目的は、ディスクの出し入れを案内するディスクホルダを備えたディスクドライブにおいて、前記ディスクホルダは、前記ディスクの端部を案内する上下に対向した上辺および下辺を両側端部に備え、前記上辺の長さは前記ディスクの長さに対応して設定され、前記下辺は前記ディスクの長さより短く設定され、前記ディスクの挿入方向手前の開口の高さ寸法を前記ディスクの挿入方向後方の開口の高さ寸法より狭く、前記ディスクの厚み寸法より僅かに大きい寸法とするディスク水平化構造を備え、前記ディスク水平化構造は、前記下辺を傾斜させたものであることを特徴とするディスクドライブにより実現される。
【００１５】
上記のディスク水平化構造を採用すると、機器の小型化或いは軽量化の目的で、ディスクホルダ端部の上辺の長さは前記ディスクの長さに対応して設定されるが、下辺は前記ディスクの長さより短く設定される場合でも、ディスクの傾きを防止できる。
【００１６】
【発明の実施の形態】
以下、図面に示した実施形態を参照して、本発明を詳細に説明する。
図１は、本発明の一実施形態を示す要部断面図である。図において、４１は前述したディスクホルダ側端部の上辺、４２はこれと対向する下辺である。上辺４１のディスク挿入方向の長さＬ１はディスクの寸法に対応させてある。これに対し、下辺４２の長さは、機器設計の都合でＬ１より短い。上辺４１と下辺４２で形成される２つの開口４３、４４の内、開口４３がディスクの挿入方向手前になり、開口４４がディスクの挿入方向後方になる。
【００１７】
本例では、開口４３の高さ寸法Ａ２を開口４４の高さ寸法Ａ１より狭く、ディスクの厚み寸法より僅かに大きなものとし、下辺４２を傾斜させてある。この様な傾斜をつけると、ディスク５０が図４のように自重で傾斜しようとしても阻止され、水平を保つ。これが本発明の水平化構造の一例である。
【００１８】
図２は、本発明の他の実施形態を示す要部断面図である。本例でも下辺４２の長さは上片４１より短い。本例では、上辺４１と下片４２を平行にしたまま、下辺４２の開口４３付近に凸部４５を形成し、ここにディスクを載せる構造としてある。この場合の開口４３の高さ寸法は、凸部４５部分で規定され、下辺４２を実質的に傾斜させたと同様の水平化機能が実現できる。
【００１９】
【発明の効果】
以上述べたように本発明によれば、ディスクの傾きを防止できる構造的改良を加えたディスクドライブを提供することができる。
【図面の簡単な説明】
【図１】本発明の一実施形態を示す要部断面図である。
【図２】本発明の他の実施形態を示す要部断面図である。
【図３】従来のディスクホルダの一例を示す要部断面図である。
【図４】従来のディスクホルダの他の例を示す要部断面図である。
【図５】ディスクドライブのディスク出し入れ機構の一例を示す断面図である。
【図６】上記出し入れ機構の組立斜視図である。
【符号の説明】
３０  ディスクホルダ
３２  側壁
４１  上辺
４２  下辺
４３，４４  開口
４５  凸部
５０  ディスク
【図１】
0003915171.tif 000002
【図２】
0003915171.tif 000003
【図３】
0003915171.tif 000004
【図４】
0003915171.tif 000005
【図５】
0003915171.tif 000006
【図６】
0003915171.tif 000007